(57)【要約】【課題】誘導電流の相殺現象が生じないとともに、作動効率性及び入力手段位置検出の精度を大幅に向上することができるディジタイザを提供する。【解決手段】本発明によるディジタイザは、電流が流れ、磁力線を誘導する駆動コイル１２０と、駆動コイル１２０と交差するように配置され、前記磁力線によって一方向に誘導電流が流れる検知コイル１３０と、入力手段１１０の接近によって検知コイル１３０に誘導される電圧が変化すると、前記電圧の変化量を検知して入力手段１１０の座標を算出する制御部と、を含むものである。【選択図】図１
2014041584.tif 000002
【特許請求の範囲】
【請求項１】
電流が流れ、磁力線を誘導する駆動コイルと、
前記駆動コイルと交差するように配置され、前記磁力線によって一方向に誘導電流が流れる検知コイルと、
入力手段の接近によって前記検知コイルに誘導される電圧が変化すると、前記電圧の変化量を検知して前記入力手段の座標を算出する制御部と、
を含むディジタイザ。
【請求項２】
前記検知コイルは、前記駆動コイルの内側領域に対向する領域で一方向に位置する第１ラインと、前記駆動コイルの内側領域に対向する領域で前記第１ラインと離隔して他方向に位置する第２ラインと、前記駆動コイルの外側領域に対向する領域で一方向に位置する第３ラインと、前記駆動コイルの外側領域に対向する領域で前記第３ラインと離隔して他方向に位置する第４ラインと、を含み、
前記第１ラインと前記第３ラインとは第１連結ラインによって連結され、前記第２ラインと前記第４ラインとは第２連結ラインによって連結される請求項１に記載のディジタイザ。
【請求項３】
前記第１連結ラインと前記第２連結ラインとは互いに交差し、前記第１連結ラインと前記第２連結ラインとの間に介在される絶縁部によって互いに絶縁される請求項２に記載のディジタイザ。
【請求項４】
前記制御部が前記駆動コイルに供給する電流は、交流である請求項１に記載のディジタイザ。
【請求項５】
前記駆動コイルと前記検知コイルは、垂直に交差する請求項１に記載のディジタイザ。
【請求項６】
前記駆動コイルは第１軸方向に、互いに平行に多数設けられ、
前記検知コイルは前記第１軸方向に対して垂直となる第２軸方向に、互いに平行に多数設けられる請求項１に記載のディジタイザ。
【請求項７】
前記制御部は、前記第２軸方向に沿って、多数の前記駆動コイルに順次に電流を供給し、多数の前記駆動コイルには前記第２軸方向に沿って順次に磁力線が誘導される請求項６に記載のディジタイザ。
【請求項８】
前記制御部は、前記第１軸方向に沿って、多数の前記検知コイルに誘導される電圧を順次に測定する請求項６に記載のディジタイザ。
【請求項９】
前記制御部は、
前記検知コイルに誘導される電圧が前記入力手段によって変化する前に前記検知コイルに誘導される電圧を基準値に設定し、
前記検知コイルに誘導される電圧が前記入力手段によって変化すると、前記基準値と比較して前記検知コイルに誘導される電圧の変化量を検知する請求項６に記載のディジタイザ。
【請求項１０】
前記駆動コイルと前記検知コイルとが互いに絶縁されるように、前記駆動コイルと前記検知コイルとの間に介在される絶縁層をさらに含む請求項１に記載のディジタイザ。
【発明の詳細な説明】
【技術分野】
【０００１】
本発明は、ディジタイザに関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、電磁気誘導方式のディジタイザ（Ｄｉｇｉｔｉｚｅｒ）が開発された。
【０００５】
電磁気誘導方式のディジタイザと類似した機能を果たすことができる入力装置として、静電容量方式のタッチスクリーンが挙げられるが、静電容量方式のタッチスクリーンは、電磁気誘導方式のディジタイザに比べて正確な座標を検知することができず、筆圧もまた認識することができない。従って、電磁気誘導方式のディジタイザは、精度や正確性の面において静電容量方式タッチスクリーンより有利である。
【０００６】
但し、特許文献１のように、従来技術によるディジタイザは、駆動コイルに電流が印加されることで、検知コイルに作用する磁力線の方向が検知コイルの長さ方向によって相違する。換言すれば、検知コイルは、駆動コイルと交差するように形成されることで、駆動コイルと対向する領域と対向しない領域とに分けられるが、対向する領域に作用する磁力線の方向と対向していない領域に作用する磁力線の方向とが互いに反対である。
【０００７】
これにより、従来のディジタイザは、検知コイルに誘導される誘導電流が、磁力線が互いに反対方向に作用するコイル部位で相殺される現象が生じる。
【０００８】
ディジタイザの構造において、電子ペンなどの入力手段のタッチ座標を精密に検出するためには、検知コイルに誘導される電圧が十分な値を有する必要がある。
【０００９】
しかし、従来のディジタイザは、前記相殺現象により、検知コイルに電圧が十分に誘導されないという問題がある。
【先行技術文献】
【特許文献】
【００１０】
【特許文献１】国際公開第２０１０／０２３８６１号
【発明の概要】
【発明が解決しようとする課題】
【００１１】
本発明は、上述した従来技術の問題点を解決するためのものであって、本発明の目的は、検知コイルに誘導される誘導電流が検知コイルを形成するラインに沿って一方向に形成されるようにし、誘導電流の相殺現象が生じないディジタイザを提供することにある。
【課題を解決するための手段】
【００１２】
本発明の実施例によるディジタイザは、電流が流れ、磁力線を誘導する駆動コイルと、前記駆動コイルと交差するように配置され、前記磁力線によって一方向に誘導電流が流れる検知コイルと、入力手段の接近によって前記検知コイルに誘導される電圧が変化すると、前記電圧の変化量を検知して前記入力手段の座標を算出する制御部と、を含む。
【００１３】
本発明の実施例によるディジタイザにおいて、前記検知コイルは、前記駆動コイルの内側領域に対向する領域で一方向に位置する第１ラインと、前記駆動コイルの内側領域に対向する領域で前記第１ラインと離隔して他方向に位置する第２ラインと、前記駆動コイルの外側領域に対向する領域で一方向に位置する第３ラインと、前記駆動コイルの外側領域に対向する領域で前記第３ラインと離隔して他方向に位置する第４ラインと、を含み、前記第１ラインと前記第３ラインとは第１連結ラインによって連結され、前記第２ラインと前記第４ラインとは第２連結ラインによって連結されることが好ましい。
【００１４】
本発明の実施例によるディジタイザにおいて、前記第１連結ラインと前記第２連結ラインとは互いに交差し、前記第１連結ラインと前記第２連結ラインとの間に介在される絶縁部によって互いに絶縁されることが好ましい。
【００１５】
本発明の実施例によるディジタイザにおいて、前記制御部が前記駆動コイルに供給する電流は、交流であることが好ましい。
【００１６】
本発明の実施例によるディジタイザにおいて、前記駆動コイルと前記検知コイルは、垂直に交差することが好ましい。
【００１７】
本発明の実施例によるディジタイザにおいて、前記駆動コイルは第１軸方向に、互いに平行に多数設けられ、前記検知コイルは前記第１軸方向に対して垂直となる第２軸方向に、互いに平行に多数設けられることが好ましい。
【００１８】
本発明の実施例によるディジタイザにおいて、前記制御部は、前記第２軸方向に沿って、多数の前記駆動コイルに順次に電流を供給し、多数の前記駆動コイルには前記第２軸方向に沿って順次に磁力線が誘導されることが好ましい。
【００１９】
本発明の実施例によるディジタイザにおいて、前記制御部は、前記第１軸方向に沿って、多数の前記検知コイルに誘導される電圧を順次に測定することが好ましい。
【００２０】
本発明の実施例によるディジタイザにおいて、前記制御部は、前記検知コイルに誘導される電圧が前記入力手段によって変化する前に前記検知コイルに誘導される電圧を基準値に設定し、前記検知コイルに誘導される電圧が前記入力手段によって変化すると、前記基準値と比較して前記検知コイルに誘導される電圧の変化量を検知することが好ましい。
【００２１】
本発明の実施例によるディジタイザにおいて、前記駆動コイルと前記検知コイルとが互いに絶縁されるように、前記駆動コイルと前記検知コイルとの間に介在される絶縁層をさらに含むことが好ましい。
【発明の効果】
【００２２】
本発明によると、磁力線の影響により、検知コイルに誘導される誘導電流が検知コイルを形成するコイルの全長において一方向に流れるため、検知コイルの全長において誘導電流が相殺する現象は生じない。
【００２３】
従って、駆動コイルに一定の交流電圧を印加すると、検知コイルに誘導される誘導電圧の割合が増加し、これにより、ディジタイザの作動効率性及び入力手段位置検出の精度を大幅に向上することができる。
【図面の簡単な説明】
【００２４】
【図１】本発明の一実施例によるディジタイザを図示した図面である。
【図２】図１に図示されたＡ領域の拡大図である。
【図３】図２に図示されたＢ領域の断面図である。
【図４】図１に図示されたディジタイザの作動過程を説明する図面である。
【図５】図１に図示されたディジタイザの作動過程を説明する図面である。
【図６】図１に図示されたディジタイザの作動過程を説明する図面である。
【図７】図１に図示されたディジタイザの作動過程を説明する図面である。
【図８】図１に図示されたディジタイザの作動過程を説明する図面である。
【発明を実施するための形態】
【００２５】
本発明の目的、特定の利点及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ相違する図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２６】
以下、添付図面を参照して、本発明の好ましい実施例を詳細に説明する。
【００２７】
図１は、本発明の一実施例によるディジタイザを図示した図面であり、図２は、図１に図示されたＡ領域の拡大図であり、図３は、図２に図示されたＢ領域の断面図である。
【００２８】
本発明の一実施例によるディジタイザは、電流が流れ、磁力線を誘導する駆動コイル１２０と、前記駆動コイル１２０と交差するように配置され、前記磁力線によって一方向に誘導電流が流れる検知コイル１３０と、入力手段１１０の接近によって前記検知コイル１３０に誘導される電圧が変化すると、前記電圧の変化量を検知して前記入力手段１１０の座標を算出する制御部（不図示）と、を含む。
【００２９】
前記入力手段１１０は、例えば、スタイラスペン（Ｓｔｙｌｕｓ  Ｐｅｎ）であってもよく、座標を指示する機能を果たす。入力手段１１０には、共振回路を組み込むことができ、共振回路から放射される磁力線によって、後述する検知コイル１３０に誘導される電圧を変化させることができる。
【００３０】
前記駆動コイル１２０は、検知コイル１３０に磁力線を供給する機能を果たす。具体的に、駆動コイル１２０は、閉曲線状に形成することができ、制御部から電流の供給を受けて電流が流れると、検知コイル１３０方向に磁力線を誘導する。駆動コイル１２０から誘導された磁力線は、電圧を検知コイル１３０に誘導する機能を果たすが、検知コイル１３０に誘導される電圧は、駆動コイル１２０から誘導された磁力線の時間に対する変化量に比例する。従って、電圧を検知コイル１３０に誘導するためには、駆動コイル１２０から誘導される磁力線が周期的に変化しなければならない。従って、駆動コイル１２０は、誘導される磁力線が周期的に変化するように制御部から交流（Ａｌｔｅｒｎａｔｉｎｇ  Ｃｕｒｒｅｎｔ；ＡＣ）の供給を受けることができる。
【００３１】
前記検知コイル１３０は、誘導される電圧により制御部が座標を算出するようにする機能を果たす。具体的に、検知コイル１３０には、駆動コイル１２０から形成される磁力線によって電圧が誘導される。この際、入力手段１１０が検知コイル１３０に近づくと、検知コイル１３０に誘導される電圧が変化する。制御部は、このような電圧の変化量を確認し、入力手段１１０の座標を検知することができる。
【００３２】
図１及び図２に図示されたように、駆動コイル１２０と検知コイル１３０は、交差するように配置することができる。この際、検知コイル１３０は、磁力線によって誘導される誘導電流が検知コイル１３０を形成するコイルの全長において一方向に流れるように形成される。
【００３３】
具体的に、検知コイル１３０は、図２に図示されたように、閉曲線状を成す駆動コイル１２０の内側領域（以下「第１領域」とする）１２１に対向する領域で一方向、即ち、図２において左側方向に配置される第１ライン１３１と、第１領域１２１に対向する領域で他方向、即ち、図２において右側方向に位置する第２ライン１３２と、また駆動コイル１２０の外側領域（以下「第２領域」とする）１２２に対向する領域で前記一方向に位置する第３ライン１３３と、第２領域１２２に対向する領域で前記他方向に位置する第４ライン１３４と、を含んでなるものである。
【００３４】
ここで、第１ライン１３１と第２ライン１３２は、前記第１領域１２１に対向する領域で互いに離隔するように位置し、第３ライン１３３と第４ライン１３４も同様に、離隔するように位置する。
【００３５】
この際、第１ライン１３１と第３ライン１３３は、ほぼ同一線上に位置することができ、また第２ライン１３２と第４ライン１３４もまたほぼ同一線上に位置することができる。しかし、第１ライン１３１は、同一線上に位置する第３ライン１３３に連結されず、第４ライン１３４に連結される。また、第２ライン１３２は、第４ライン１３４に連結されず、第３ライン１３３に連結される。この際、第１ライン１３１と第４ライン１３４は、第１連結ライン１３５によって連結され、第２ライン１３２と第３ライン１３３は、第２連結ライン１３６によって連結される。
【００３６】
即ち、検知コイル１３０は、第１領域１２１に対向する領域に位置する第１ライン１３１が第２領域１２２に対向する領域に位置する第３ライン１３３とつながり、第１領域１２１に対向する領域に位置する第２ライン１３２が第２領域１２２に対向する領域に位置する第４ライン１３４とつながる形状を有するようになり、このような形状を有するために、第１連結ライン１３５と第２連結ライン１３６は、互いに交差するように形成される。この際、第１連結ライン１３５と第２連結ライン１３６が互いに電気的に絶縁されるように、図３に図示されたように、第１連結ライン１３５と第２連結ライン１３６との間に絶縁部１３７を介在させることができる。
【００３７】
検知コイル１３０がこのように形成されることで、第１領域１２１に対向する領域と第２領域１２２に対向する領域に作用する磁力線の方向が、図２に図示されたように互いに反対であっても、互いに連結された第１ライン１３１と第４ライン１３４、また第２ライン１３２と第３ライン１３３から誘導される誘導電流の方向は、一方向に一致する。従って、誘導電流は、検知コイル１３０を形成するコイルの全長において一方向に流れ、検知コイル１３０の長さ方向の全体において、従来のディジタイザの構造のように誘導電圧が相殺される現象は生じなくなる。
【００３８】
その結果、本実施例によるディジタイザは、駆動コイル１２０に一定の周波数の交流電力を印加すると、検知コイル１３０に誘導される電圧の大きさがより大きくなり、このような結果は、以下の表１に示された実験データからも確認することができる。
【００３９】
【表１】
2014041584.tif 000003
【００４０】
前記表１は、従来のディジタイザの構造、即ち検知コイルと駆動コイルが単純に互いに直交するように配置されたディジタイザの構造（Ｎｏ．１）と、本実施例によるディジタイザの構造、即ち前記のように第１ライン１３１が第３ライン１３３に連結され、第２ライン１３２が第４ライン１３４に連結されるディジタイザの構造（Ｎｏ．２）と、に対して同一の周波数（５００[ｋＨｚ]）の交流電力を印加すると、検知コイルに誘導される電圧の割合（デシベル[ｄＢ]）がどのような差を見せるのか示している。
【００４１】
前記表１から分かるように、本実施例によるディジタイザの構造（Ｎｏ．２）は、従来のディジタイザの構造（Ｎｏ．１）に比べて、デシベル値が約２倍程度増加することが分かる。その理由は、本実施例によるディジタイザの構造において誘導電流の相殺現象が生じなかったり著しく減少されたためである。
【００４２】
一方、図３に図示されたように、本実施例によるディジタイザは、駆動コイル１２０と検知コイル１３０との間が絶縁されるように、駆動コイル１２０と検知コイル１３０との間に介在される絶縁層１４０をさらに含むことができる。
【００４３】
駆動コイル１２０と検知コイル１３０は、ＸＹ座標を算出するために、互いに垂直に交差するように形成することができる。また、駆動コイル１２０は、第１軸方向（Ｘ軸方向）に、互いに平行に多数設けられ、検知コイル１３０は、第１軸方向（Ｘ軸方向）に対して垂直となる第２軸方向（Ｙ軸方向）に、互いに平行に多数設けることもできる。
【００４４】
図１は、駆動コイル１２０が第１軸方向（Ｘ軸方向）に、互いに平行に４個が設けられ、検知コイル１３０が第２軸方向（Ｙ軸方向）に、互いに平行に４個が設けられるディジタイザの例を図示している。但し、このような構成は説明の便宜のための例示に過ぎず、本発明の権利範囲がこれに限定されないことは言うまでもない。
【００４５】
また、図１に図示された例では、多数の駆動コイル１２０と検知コイル１３０が重なり合わないように離隔して配置される例を挙げているが、このような配置形態に限定されない。多数の駆動コイル１２０は、それぞれの駆動コイル１２０同士の間に絶縁層が介在されるようにすると共に、隣接する駆動コイル１２０同士の間の一部が重なり合う形状に配置させることもできる。検知コイル１３０もまた同様である。
【００４６】
このように構成されたディジタイザの作動過程の一例を、添付図面を参照して、説明すると次のとおりである。図４から図８は、図１に図示されたディジタイザの作動過程を説明する図面である。
【００４７】
前記のように、駆動コイル１２０と検知コイル１３０が多数設けられる場合、制御部は、時分割により駆動コイル１２０に電流を供給し、検知コイル１３０に誘導される電圧を測定することができる。
【００４８】
例えば、制御部は、第２軸方向（Ｙ軸方向）に沿って第１駆動コイル１２０ａ→第２駆動コイル１２０ｂ→第３駆動コイル１２０ｃ→第４駆動コイル１２０ｄの順に電流を供給し、第１駆動コイル１２０ａ→第２駆動コイル１２０ｂ→第３駆動コイル１２０ｃ→第４駆動コイル１２０ｄの順に磁力線を誘導することができ、第１軸方向（Ｘ軸方向）に沿って、第１検知コイル１３０ａ→第２検知コイル１３０ｂ→第３検知コイル１３０ｃ→第４検知コイル１３０ｄの順に誘導される電圧を測定することができる。
【００４９】
より具体的に、制御部は、４個の駆動コイル１２０のうち、第２軸方向（Ｙ軸方向）の一番目に設けられた第１駆動コイル１２０ａに電流を供給し、第１駆動コイル１２０ａには、磁力線が誘導される（図４参照）。
【００５０】
このような磁力線によって４個の検知コイル１３０に電圧が誘導される。検知コイル１３０は、入力手段１１０の影響を受ける前であるため、４個の検知コイル１３０に誘導される電圧は一定である。この際、制御部は、４個の検知コイル１３０に誘導される電圧を第１軸方向（Ｘ軸方向）に沿って順次に測定し、誘導された電圧を第１基準値に設定する。即ち、制御部は、第１検知コイル１３０ａ→第２検知コイル１３０ｂ→第３検知コイル１３０ｃ→第４検知コイル１３０ｄの順に誘導される電圧を測定し、４個の検知コイル１３０に誘導された電圧を、第１基準値に設定する。
【００５１】
次に、図５に図示されたように、制御部は、第２駆動コイル１２０ｂに電流を供給し、第２駆動コイル１２０ｂには磁力線が誘導される。この際、制御部は、第１検知コイル１３０ａ→第２検知コイル１３０ｂ→第３検知コイル１３０ｃ→第４検知コイル１３０ｄの順に誘導される電圧を測定し、４個の検知コイル１３０に誘導された電圧を、第２基準値に設定する。
【００５２】
次に、図６に図示されたように、制御部は、第３駆動コイル１２０ｃに電流を供給し、第３駆動コイル１２０ｃには磁力線が誘導される。この際、制御部は、第１検知コイル１３０ａ→第２検知コイル１３０ｂ→第３検知コイル１３０ｃ→第４検知コイル１３０ｄの順に誘導される電圧を測定し、４個の検知コイル１３０に誘導された電圧を、第３基準値に設定する。
【００５３】
次に、図７に図示されたように、制御部は、第４駆動コイル１２０ｄに電流を供給し、第４駆動コイル１２０ｄには磁力線が誘導される。この際、制御部は、第１検知コイル１３０ａ→第２検知コイル１３０ｂ→第３検知コイル１３０ｃ→第４検知コイル１３０ｄの順に誘導される電圧を測定し、４個の検知コイル１３０に誘導された電圧を、第４基準値に設定する。
【００５４】
上述したように、制御部は、第１駆動コイル１２０ａ→第２駆動コイル１２０ｂ→第３駆動コイル１２０ｃ→第４駆動コイル１２０ｄの順に電流を供給し、それぞれの検知コイル１３０に誘導された電圧を基準値に設定した後、後述するように、また第１駆動コイル１２０ａ→第２駆動コイル１２０ｂ→第３駆動コイル１２０ｃ→第４駆動コイル１２０ｄの順に電流を供給し、それぞれの検知コイル１３０に誘導された電圧を用いて座標を算出する。
【００５５】
具体的に、図８に図示されたように、第１駆動コイル１２０ａに電流を供給し、磁力線を誘導する。このような磁力線によって、４個の検知コイル１３０に電圧が誘導される。制御部は、４個の誘導された電圧を第１検知コイル１３０ａ→第２検知コイル１３０ｂ→第３検知コイル１３０ｃ→第４検知コイル１３０ｄの順に測定する。この際、入力手段１１０は、第２駆動コイル１２０ｂの上部に位置し、第１駆動コイル１２０ａと離隔しているため、４個の検知コイル１３０に誘導された電圧の変化量が大きくない。結果、制御部は、４個の検知コイル１３０に誘導された電圧の変化量と、上述した第１基準値とを比較し、電圧の変化量が所定値以下であると判断されると、第１駆動コイル１２０ａの上部に入力手段１１０が位置していないことを認知する。
【００５６】
次に、第２駆動コイル１２０ｂに電流を供給し、磁力線を誘導する。このような磁力線によって４個の検知コイル１３０に電圧が誘導される。制御部は、４個の誘導された電圧を第１検知コイル１３０ａ→第２検知コイル１３０ｂ→第３検知コイル１３０ｃ→第４検知コイル１３０ｄの順に測定する。この際、入力手段１１０は、第２駆動コイル１２０ｂと第３検知コイル１３０ｃが交差するところの上部に位置するため、４個の検知コイル１３０のうち、第３検知コイル１３０ｃに誘導された電圧の変化量が最も大きい。制御部は、第３検知コイル１３０ｃに誘導された電圧の変化量と、上述した第２基準値とを比較し、電圧の変化量が所定値以上であると判断されると、第２駆動コイル１２０ｂと第３検知コイル１３０ｃが交差するところの上部に入力手段１１０が位置していることを認知することができる。この際、第２駆動コイル１２０ｂは、第２軸方向（Ｙ軸方向）の二番目に設けられ、第３検知コイル１３０ｃは、第１軸方向（Ｘ軸方向）の三番目に設けられるため、制御部は、このような位置情報に基づき、最終的に入力手段１１０の座標を算出することができる。
【００５７】
その後、制御部が第３駆動コイル１２０ｃに電流を供給して磁力線を誘導する過程と、第４駆動コイル１２０ｄに電流を供給して磁力線を誘導する過程を行うことができるが、このような過程は、第１駆動コイル１２０ａに電流を供給して磁力線を誘導する過程と類似するため、説明は省略する。
【００５８】
一方、本実施例に関する図面には、駆動コイル１２０が下側に配置され、検知コイル１３０が上側に配置されることを図示しているが、本発明の権利範囲はこれに限定されない。本発明は、駆動コイル１２０が上側に配置され、検知コイル１３０が下側に配置されるなど様々な実施例を有することができることは言うまでもない。
【００５９】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６０】
本発明の単純な変形乃至変更はいずれも本発明の領域に属するものであり、本発明の具体的な保護範囲は添付の特許請求の範囲により明確になるであろう。
【産業上の利用可能性】
【００６１】
本発明は、誘導電流の相殺現象が生じないとともに、作動効率性及び入力手段位置検出の精度を大幅に向上することができるディジタイザに適用可能である。
【符号の説明】
【００６２】
１１０  入力手段
１２０  駆動コイル
１２０ａ  第１駆動コイル
１２０ｂ  第２駆動コイル
１２０ｃ  第３駆動コイル
１２０ｄ  第４駆動コイル
１２１  第１領域
１２２  第２領域
１３０  検知コイル
１３０ａ  第１検知コイル
１３０ｂ  第２検知コイル
１３０ｃ  第３検知コイル
１３０ｄ  第４検知コイル
１３１  第１ライン
１３２  第２ライン
１３３  第３ライン
１３４  第４ライン
１３５  第１連結ライン
１３６  第２連結ライン
１３７  絶縁部
１４０  絶縁層
【図１】
2014041584.tif 000004
【図２】
2014041584.tif 000005
【図３】
2014041584.tif 000006
【図４】
2014041584.tif 000007
【図５】
2014041584.tif 000008
【図６】
2014041584.tif 000009
【図７】
2014041584.tif 000010
【図８】
2014041584.tif 000011